(57)【要約】      （修正有）【課題】無駄な時間を無くして処理時間を短縮することができる紙幣処理装置を提供すること。【解決手段】紙幣を処理する紙幣処理装置は、紙幣を集積する集積部７１と、集積部７１に紙幣を搬送して集積させる集積処理を行う搬送部２０と、集積部によって集積された集積紙幣を結束材で結束する結束処理を行う結束部６５と、結束材を加熱する加熱部６６と、加熱部６６が所定温度に達しているか否かを検出する温度検出部６７と、を備えている。紙幣を処理する紙幣処理装置は、温度検出部６７によって加熱部６６が所定温度に達していないことが検出されると、集積処理および結束処理以外のその他の処理を行うよう制御する制御部９０も、備えている。【選択図】図２
2011195177.tif 000002
【特許請求の範囲】
【請求項１】
紙幣を処理する紙幣処理装置において、
紙幣を集積する集積部と、
前記集積部に紙幣を搬送して集積させる集積処理を行う搬送部と、
前記集積部に集積された集積紙幣を結束材で結束する結束処理を行う結束部と、
前記結束材を加熱する加熱部と、
前記加熱部が所定温度に達しているか否かを検出する温度検出部と、
前記温度検出部によって前記加熱部が所定温度に達していないことが検出されると、前記集積処理および前記結束処理以外のその他の処理を行うよう制御する制御部と、
を備えたことを特徴とする紙幣処理装置。
【請求項２】
前記加熱部が所定温度に達するまでにかかる加熱予想時間と、前記集積処理が完了するまでにかかる集積予想時間とを比較する比較部をさらに備え、
前記比較部によって前記加熱予想時間の方が前記集積予想時間よりも長いと判断された場合にのみ、前記集積処理および前記結束処理以外のその他の処理も行うことを特徴とする請求項１に記載の紙幣処理装置。
【請求項３】
前記制御部は、前記温度検出部によって前記加熱部が所定温度に達していないことが検出されると、前記集積処理を行わせた後で前記結束処理以外のその他の処理を行わせるよう制御することを特徴とする請求項１または２のいずれかに記載の紙幣処理装置。
【請求項４】
紙幣を処理する紙幣処理装置において、
紙幣を集積する集積部と、
前記集積部に紙幣を搬送して集積させる集積処理を行う搬送部と、
前記集積部に集積された集積紙幣を結束材で結束する結束処理を行う結束部と、
前記結束材を加熱する加熱部と、
前記加熱部が所定温度に達しているか否かを検出する温度検出部と
前記加熱部が所定温度に達するまでにかかる加熱予想時間と、前記集積処理が完了するまでにかかる集積予想時間とを比較する比較部と、
前記比較部によって前記加熱予想時間の方が前記集積予想時間よりも長いと判断された場合に、前記集積処理または前記結束処理以外のその他の処理を開始し、前記温度検出部によって前記加熱部が所定温度に達し、かつ、前記集積処理が完了していることを条件として前記結束処理を開始させるよう制御する制御部と、
を備えたことを特徴とする紙幣処理装置。
【請求項５】
前記制御部は、前記温度検出部によって前記加熱部が所定温度に達したことが検出されると、前記加熱予想時間に制限されずに、前記結束処理を開始させることを特徴とする請求項４に記載の紙幣処理装置。
【請求項６】
前記制御部は、前記温度検出部によって前記加熱部が所定温度に達したことが検出されるまでの間、前記加熱予想時間に制限されずに、前記集積処理および前記結束処理以外のその他の処理を行わせることを特徴とする請求項４または５のいずれかに記載の紙幣処理装置。
【請求項７】
前記結束処理以外のその他の処理は、バラ紙幣の入金処理を含むことを特徴とする請求項１乃至６のいずれか１項に記載の紙幣処理装置。
【請求項８】
前記結束処理以外のその他の処理は、バラ紙幣の出金処理を含むことを特徴とする請求項１乃至７のいずれか１項に記載の紙幣処理装置。
【発明の詳細な説明】
【技術分野】
【０００１】
本発明は、紙幣を処理する紙幣処理装置に関する。
【背景技術】
【０００２】
従来から、金融機関などに設置されている紙幣処理装置としては、特許文献１に示すように、所定枚数まで集積された紙幣を帯で結束して束紙幣（小束）を作成することができるものが知られている。このような紙幣処理装置においては、予め帯に接着剤が塗布されており、結束する際にヒーター（加熱部）で帯を加熱することにより接着する構成になっている。そして、例えばバラ紙幣を結束して収納する場合やバラ紙幣を結束して出金する場合には、ヒーターを加熱し、ヒーターの温度が上昇して帯が接着できるようになってから結束処理を行うようにしている。このため、ヒーターの温度が所定温度に達するまでは処理を停止する必要があり、待ち時間が生じ、全体の処理時間が長くなってしまうといった問題があった。
【０００３】
この点、特許文献２には、上述のような問題点を解決するため、結束処理を行う際に、ヒーターの温度が所定の温度に達していない場合であっても、所定枚数の紙幣を集積する集積処理を先に実行することで、装置の電源立上げ後の結束処理における待ち時間を短縮することができるという技術が開示されている。
【０００４】
ここで、特許文献１に特許文献２を適用した場合には、ヒーターが所定の温度に達するまでの間に集積処理を先に実行することで、全体の処理時間を短縮することができる。
【０００５】
しかしながら、集積処理が完了した段階で未だヒーターの温度が所定温度に達していない場合には処理を停止せざるを得ず、結局、無駄な時間が生じてしまい、処理時間を短縮することができないといった問題がある。
【先行技術文献】
【特許文献】
【０００６】
【特許文献１】特開２０００-１９０９１３号公報
【特許文献２】特許２６３５２５４号公報
【発明の概要】
【発明が解決しようとする課題】
【０００７】
本発明は、このような点を考慮してなされたものであり、無駄な時間を無くして処理時間を短縮することができる紙幣処理装置を提供することを目的とする。
【課題を解決するための手段】
【０００８】
本発明の第１の態様による紙幣処理装置は、
紙幣を処理する紙幣処理装置であって、
紙幣を集積する集積部と、
前記集積部に紙幣を搬送して集積させる集積処理を行う搬送部と、
前記集積部に集積された集積紙幣を結束材で結束する結束処理を行う結束部と、
前記結束材を加熱する加熱部と、
前記加熱部が所定温度に達しているか否かを検出する温度検出部と、
前記温度検出部によって前記加熱部が所定温度に達していないことが検出されると、前記集積処理および前記結束処理以外のその他の処理を行うよう制御する制御部と、
を備えている。
【０００９】
本発明の第１の態様による紙幣処理装置は、
前記加熱部が所定温度に達するまでにかかる加熱予想時間と、前記集積処理が完了するまでにかかる集積予想時間とを比較する比較部をさらに備え、
前記比較部によって前記加熱予想時間の方が前記集積予想時間よりも長いと判断された場合にのみ、前記集積処理および前記結束処理以外のその他の処理も行ってもよい。
【００１０】
本発明の第１の態様による紙幣処理装置において、
前記制御部は、前記温度検出部によって前記加熱部が所定温度に達していないことが検出されると、前記集積処理を行わせた後で前記結束処理以外のその他の処理を行わせるよう制御してもよい。
【００１１】
本発明の第２の態様による紙幣処理装置は、
紙幣を処理する紙幣処理装置において、
紙幣を集積する集積部と、
前記集積部に紙幣を搬送して集積させる集積処理を行う搬送部と、
前記集積部に集積された集積紙幣を結束材で結束する結束処理を行う結束部と、
前記結束材を加熱する加熱部と、
前記加熱部が所定温度に達しているか否かを検出する温度検出部と
前記加熱部が所定温度に達するまでにかかる加熱予想時間と、前記集積処理が完了するまでにかかる集積予想時間とを比較する比較部と、
前記比較部によって前記加熱予想時間の方が前記集積予想時間よりも長いと判断された場合に、前記集積処理または前記結束処理以外のその他の処理を開始し、前記温度検出部によって前記加熱部が所定温度に達し、かつ、前記集積処理が完了していることを条件として前記結束処理を開始させるよう制御する制御部と、
を備えている。
【００１２】
本発明の第２の態様による紙幣処理装置において、
前記制御部は、前記温度検出部によって前記加熱部が所定温度に達したことが検出されると、前記加熱予想時間に制限されずに、前記結束処理を開始させてもよい。
【００１３】
本発明の第２の態様による紙幣処理装置において、
前記制御部は、前記温度検出部によって前記加熱部が所定温度に達したことが検出されるまでの間、前記加熱予想時間に制限されずに、前記集積処理および前記結束処理以外のその他の処理を行わせてもよい。
【００１４】
本発明の第１の態様および第２の態様による紙幣処理装置において、
前記結束処理以外のその他の処理は、バラ紙幣の入金処理を含んでもよい。
【００１５】
本発明の第１の態様および第２の態様による紙幣処理装置において、
前記結束処理以外のその他の処理は、バラ紙幣の出金処理を含んでもよい。
【発明の効果】
【００１６】
本発明の第１の態様によれば、温度検出部によって加熱部が所定温度に達していないことが検出されると、集積処理および結束処理以外のその他の処理を行う。このため、加熱部が所定温度に達するまでの無駄な時間を無くして処理時間を短縮することができる。
【００１７】
また、本発明の第２の態様によれば、比較部によって加熱予想時間の方が集積予想時間よりも長いと判断された場合に、集積処理または結束処理以外のその他の処理を開始し、温度検出部によって前記加熱部が所定温度に達し、かつ、前記集積処理が完了していることを条件として前記結束処理を開始させる。このため、加熱部が所定温度に達するまでの無駄な時間を無くして処理時間を短縮することができる。
【図面の簡単な説明】
【００１８】
【図１】本発明の第１の実施の形態による紙幣処理装置の側方断面図。
【図２】本発明の第１の実施の形態による貨幣両替機内の信号伝達を説明するための構成図。
【図３】本発明の第１の実施の形態による紙幣処理装置でのバラ出金処理における処理態様を示した側方断面図。
【図４】本発明の第１の実施の形態による紙幣処理装置での集積処理における処理態様を示した側方断面図。
【図５】本発明の第１の実施の形態による紙幣処理装置での入金処理において、紙幣投入口から入金一時保留部へ紙幣が搬送される態様を示した側方断面図。
【図６】本発明の第１の実施の形態による紙幣処理装置でのバラ・結束出金処理のフローを示した図。
【図７】本発明の第１の実施の形態による紙幣処理装置でのバラ・結束出金処理の別のフローを示した図。
【図８】本発明の第１の実施の形態による紙幣処理装置でのバラ・結束入金処理のフローを示した図。
【図９】本発明の第１の実施の形態の変形例による紙幣処理装置を右側から見た側方断面図と当該紙幣処理装置を右側から見た側方断面図であって、バラ・結束入金処理を行っている態様を示した図。
【図１０】本発明の第１の実施の形態の変形例による紙幣処理装置を右側から見た側方断面図と当該紙幣処理装置を右側から見た側方断面図であって、バラ・結束出金処理を行っている態様を示した図。
【図１１】本発明の第１の実施の形態の変形例による紙幣処理装置を右側から見た側方断面図と当該紙幣処理装置を右側から見た側方断面図であって、バラ入出金・結束出金処理を行っている態様を示した図。
【図１２】本発明の第２の実施の形態による紙幣処理装置での処理のフローを示した図。
【発明を実施するための形態】
【００１９】
第１の実施の形態
以下、本発明に係る紙幣を処理する紙幣処理装置の第１の実施の形態について、図面を参照して説明する。ここで、図１乃至図１１は本発明の第１の実施の形態を示す図である。なお、本実施の形態の紙幣処理装置１ａは、バラ紙幣の処理を行うバラ紙幣処理部５０と、束紙幣の処理を行う束紙幣処理部６０とを備えている。
【００２０】
図１に示すように、バラ紙幣処理部５０は、紙幣を投入するための紙幣投入口１２と、紙幣投入口１２から投入された紙幣を搬送する搬送部２０と、入金時に搬送部２０によって搬送された紙幣を一時的に保留するための入金一時保留部３０と、搬送部２０によって搬送された紙幣を金種別に収納するためのカセット３１と、搬送部２０に設けられて当該搬送部２０によって搬送される紙幣が所定の要件を満たすかを識別する識別部１５と、を備えている。なお、本実施の形態では、紙幣投入口１２が紙幣を払い出すための紙幣払出口も兼ねている。ところで、以降の記載において「搬送部」とは、特に断りのない限り、バラ紙幣処理部５０の搬送部だけでなく束紙幣処理部６０が有する搬送部のことも意味している。
【００２１】
搬送部２０は、図１に示すように、搬送路２０ａと、搬送路２０ａ内の紙幣に駆動力を付与する駆動部（図示せず）と、を有している。また、搬送路２０ａの所定の箇所には、紙幣が正常に通過したかを検知するためのセンサ（図示せず）が配置されている。
【００２２】
また、カセット３１ａ−３１ｃの各々には異なる金種の紙幣が収納され、例えば、カセット３１ａには１，０００円紙幣が収納され、カセット３１ｂには５，０００円紙幣が収納され、カセット３１ｃには１０，０００円紙幣が収納される。なお、カセット３５にはカセット３１がフルのため収納できなかったオーバーフロー紙幣や、カセット３１ａ−３１ｃに収納される紙幣として金種が指定されていない２，０００円紙幣などが一括して収納されるようになっている。
【００２３】
また、図１に示すように、搬送部２０には、搬送される紙幣の搬送先を適宜切り換えるための切換部２１が設けられている。また、紙幣投入口１２の前面側には、紙幣投入口１２を開閉するためのバラシャッタ１１が設けられている。なお、本実施の形態においては、紙幣投入口１２とバラシャッタ１１によってホッパー（入金部）１０が構成されている。
【００２４】
また、図１に示すように、搬送部２０の端部には、入金時に識別異常や搬送異常などの異常があると判断された紙幣が搬送される入金リジェクト部１３が設けられている。ここで、識別異常とは、識別部１５によって識別された情報が予め記憶された情報と一致しない場合のことを意味している。このような識別異常としては、例えば、識別された紙幣が予定していたのとは異なる種類の紙幣であると識別されたときや、そもそも紙幣の種類を識別することができなかったときなどを挙げることができる。また、搬送異常とは、搬送部２０によって紙幣を搬送する際の異常を意味している。このような搬送異常としては、例えば、紙幣が斜めに搬送されている場合（斜行）や、複数の紙幣が重なって搬送されている場合（重送）や、複数の紙幣が所定の間隔を隔てないで搬送されている場合（連鎖）などを挙げることができる。
【００２５】
また、図１に示すように、搬送部２０の別の端部には、出金時や結束するための紙幣を集積する集積時に識別異常や搬送異常などの異常があると判断された紙幣が搬送される出金リジェクト部２３が設けられている。
【００２６】
また、図１に示すように、搬送部２０のさらに別の端部には、集積時に搬送部２０によって搬送された紙幣を集積して一時的に保留するための整理一時保留部（集積部）７１が設けられている。
【００２７】
また、図１に示すように、整理一時保留部７１近傍には、整理一時保留部７１に集積された集積紙幣を把持して搬送する搬送アーム７６と、当該搬送アーム７６を上下方向でガイドする束ガイド部７５が設けられている。そして、搬送アーム７６によって搬送された集積紙幣を結束材で結束する結束処理を行う帯封部（結束部）６５と、結束材を供給するテープセット部６１も、設けられている。
【００２８】
また、図１に示すように、束紙幣処理部６０は、結束された集積紙幣、すなわち束紙幣を出金するための束出金口８２と、当該束出金口８２の開閉を行う束シャッタ８１も、有している。そして、これら束出金口８２と束シャッタ８１によって束出金部（出金部）８０が構成されている。
【００２９】
また、帯封部６５は、図２に示すように、集積紙幣を結束する結束処理を行う際に結束材を加熱するヒーター（加熱部）６６と、ヒーター６６が所定温度に達しているか否かを検出する温度検出部６７と、所定温度に達した結束材によって集積紙幣を圧着することで結束する圧着部６８と、を有している。
【００３０】
また、図２に示すように、紙幣処理装置１ａは、温度検出部６７によってヒーター６６が所定温度に達していないことが検出されると、所定枚数（例えば１００枚）の紙幣の同一金種の紙幣を整理一時保留部７１に集積させる集積処理および「結束処理以外のその他の処理」を行うよう制御する制御部９０も、を備えている。なお、「結束処理以外のその他の処理」としては、例えば、バラ紙幣を入金するバラ入金処理やバラ紙幣を出金するバラ出金処理などを挙げることができる。また、制御部９０は、ＵＳＢを介して上位端末９５に接続されている。なお、制御部９０には、紙幣処理装置１ａ内の在高、カセット３１ａ−３１ｃから搬送部２０へ紙幣を繰り出す時間Ｔ１、搬送部２０へ繰り出された紙幣が搬送部２０から整理一時保留部７１に到達するまでの時間Ｔ２（カセット３１ａから繰り出す場合はＴ２ａ、カセット３１ｂから繰り出す場合はＴ２ｂ、カセット３１ｂから繰り出す場合はＴ２ｃ）、ヒーター６６の加熱開始から所定温度に達する加熱完了までの温度変化の推移を表す時系列データなどを記憶する記憶部９４が接続されている。
【００３１】
また、図２に示すように、制御部９０は、ヒーター６６が所定温度に達するまでにかかる加熱予想時間と、集積処理が完了するまでにかかる集積予想時間とを比較する比較部９１を有しており、当該比較部９１によって加熱予想時間の方が集積予想時間よりも長いと判断された場合にのみ、集積処理に加えて「結束処理以外のその他の処理」も行わせるように制御する。加熱予想時間は、記憶部９４に記憶されているヒーター６６の時系列データに基づいて、制御部９０によって算出される。また、集積予想時間は、制御部８０によって記憶部９４に記憶されているＴ１およびＴ２（Ｔ２ａ、Ｔ２ｂまたはＴ２ｃ）から、Ｔ１×１００（繰出枚数）＋Ｔ２で算出される。
【００３２】
なお、制御部９０は、集積処理を行わせた後で「結束処理以外のその他の処理」を行わせるよう制御してもよいし、逆に、少なくとも一つの「結束処理以外のその他の処理」を行わせた後で集積処理を行わせるように制御してもよい。
【００３３】
次に、このような構成からなる本実施の形態の作用および効果について述べる。
【００３４】
バラ・結束出金
最初に、バラ紙幣と束紙幣を出金する処理を行う場合について説明する。
【００３５】
まず、上位端末９５を介して、利用者によって、バラ紙幣を出金する処理と、束紙幣を出金する処理を行うことが選択される。このように、バラ紙幣と束紙幣を出金する処理を行うことが選択されると、温度検出部６７によって、ヒーター６６が所定温度に達しているか否か（所定温度以上か）が検出される（図６のＳ１１参照）。なお、以降において、ヒーター６６の温度は温度検出部６７によって検出され続ける。
【００３６】
ここで、ヒーター６６が所定温度に達していない場合には（図６のＳ１１下方の“ＮＯ”参照）、比較部９１によって、ヒーター６６が所定温度に達するまでにかかる加熱予想時間と、集積処理が完了するまでにかかる集積予想時間とが算出され（図６のＳ１２参照）、比較される（図６のＳ１３参照）。
【００３７】
そして、比較部９１によって加熱予想時間の方が集積予想時間よりも長いと判断されると（図６のＳ１３下方の“ＮＯ”参照）、制御部９０によって、集積処理に加えて「結束処理以外のその他の処理」（本実施の形態では、バラ紙幣を出金するバラ出金処理）も行うことが決定される。他方、比較部９１によって加熱予想時間の方が集積予想時間よりも長くならないと判断されると（図６のＳ１３側方の“ＹＥＳ”参照）、制御部９０によって、集積処理（図６のＳ１７参照）を行うことが決定される。
【００３８】
以下、制御部９０によって、集積処理に加えて「結束処理以外のその他の処理」（本実施の形態では、バラ紙幣を出金するバラ出金処理）も行うことが決定された場合について、まず説明する。
【００３９】
制御部９０によって、集積処理に加えてバラ出金処理も行うことが決定されると、集積処理とバラ出金処理の両方が行われる（図６のＳ１５参照）。
【００４０】
ここで、バラ出金処理を行う際の処理方法について、図３を用いて説明する。まず、利用者によって指定されたバラ紙幣の枚数からなる紙幣がカセット３１から一枚ずつ繰り出される。そして、このように繰り出された紙幣は、識別部１５によって識別された後で、紙幣投入口１２へと払い出される。なお、識別部１５で識別することができなかったりして異常（搬送異常も含む）が発生した紙幣は、出金リジェクト部２３へと搬送される。
【００４１】
また、集積処理を行う際の処理方法について、図４を用いて説明する。まず、利用者からの指定に基づいて、一束を構成するだけの枚数（例えば１００枚）の一金種（例えば１万円）の紙幣がカセット３１から繰り出される。そして、このように繰り出された紙幣は、識別部１５によって識別された後で、整理一時保留部７１で集積される。なお、識別部１５で識別することができなかったりして異常（搬送異常も含む）が発生した紙幣は、出金リジェクト部２３へと搬送される。
【００４２】
上述のように集積処理とバラ出金処理の両方が行われ（図６のＳ１５参照）、かつ、温度検出部６７によってヒーター６６が所定温度に達していることが検出されると（図６のＳ１６参照）、圧着部６８によって結束材を用いて集積紙幣が結束される。
【００４３】
その後、束紙幣が束出金口８２から出金（結束出金）されて（図６のＳ２０参照）、処理が終了される。
【００４４】
ところで、上記では、集積処理とバラ出金処理のみが行われる態様を用いて説明したが、これに限られることはなく、例えば紙幣投入口と紙幣払出口が別々に構成されている場合には（例えば図９（ａ）（ｂ）−図１１（ａ）（ｂ）（詳細は後述する）に示した紙幣処理装置１ｂ参照）、集積処理とバラ出金処理の両方が行われた後で未だヒーター６６が所定温度に達していないときに、バラ紙幣の入金処理など、次の取り引きが行われてもよい。
【００４５】
他方、上記とは異なり、利用者によって、バラ紙幣と束紙幣を出金する処理を行うことが選択された段階で、ヒーター６６が所定温度に達している場合には（図６のＳ１１側方の“ＹＥＳ”参照）、続いて、集積処理（図６のＳ１７参照）、結束出金処理（図６のＳ２０参照）およびバラ出金処理（図６のＳ１８参照）が順に行われる。
【００４６】
また、比較部９１によって加熱予想時間の方が集積予想時間よりも長くならないと判断されて（図６のＳ１３側方の“ＹＥＳ”参照）、制御部９０によって、集積処理を行うことが決定された場合にも、続いて、集積処理（図６のＳ１７参照）、結束出金処理（図６のＳ２０参照）およびバラ出金処理（図６のＳ１８参照）が順に行われる。
【００４７】
上述のように、本実施の形態によれば、集積予想時間よりも加熱予想時間の方が長いときに、集積処理と「結束処理以外のその他の処理」（本実施の形態ではバラ出金処理）を行うことができる。このため、ヒーター６６が温まるまでの空き時間をなくすことができ、全体の処理時間を短縮することができる。
【００４８】
また、集積処理を先に行ってバラ出金処理を後に行う態様においては、温度検出部６７によってヒーター６６が所定温度に達していることが検出されると、例えばバラ出金処理の途中であっても、集積紙幣を結束材で結束することができる。このため、バラ出金処理と結束出金処理を同時並行で行うことができ、全体の処理時間をさらに短縮することができる。
【００４９】
また、本実施の形態によれば、集積予想時間と加熱予想時間とが比較され、集積予想時間よりも加熱予想時間の方が長いときにのみ、集積処理と「結束処理以外のその他の処理」を行うので、必要な場合（集積予想時間よりも加熱予想時間の方が長い場合）以外は、結束出金処理を優先して行わせることができる。
【００５０】
ところで、上記では、集積予想時間と加熱予想時間を算出するとともに、これらを比較する態様を用いて説明したが、これに限られることはない。例えば、図７に示すように、利用者によってバラ紙幣と束紙幣を出金する処理を行うことが選択された段階でヒーター６６が所定温度に達していない場合には、集積予想時間と加熱予想時間を算出することや集積予想時間と加熱予想時間とを比較することなく、直ちに、バラ出金処理と集積処理（図７のＳ１５参照）を開始してもよい。
【００５１】
また、本実施の形態では、整理一時保留部７１が一つだけ設けられている態様を用いて説明しているが、これに限られることはなく、整理一時保留部７１は二つ以上あってもよい。このように整理一時保留部７１が二つ以上ある場合には、整理一時保留部７１の数の分だけ同時期に集積処理を行うことができる（すなわち、一方の整理一時保留部７１に紙幣が集積されている際に、他方の整理一時保留部７１に紙幣を集積させることができる。）。
【００５２】
バラ・結束入金
次に、バラ紙幣を入金する場合について説明する。
【００５３】
まず、上位端末９５を介して、利用者によって、紙幣を入金する処理を行うことが選択され、利用者によって、紙幣が紙幣投入口１２ａに投入される。
【００５４】
次に、紙幣投入口１２に投入された紙幣が、搬送部２０によって搬送されて識別部１５で識別されるとともに計数され（図８のＳ３１参照）、その後、入金一時保留部３０まで搬送される（図８のＳ３２参照）。
【００５５】
次に、利用者によって上位端末９５の入金確定のボタンが押下されると（図８のＳ３３下方の“ＹＥＳ”参照）、後述する処理（図８のＳ３４以降の処理）が行われる。他方、入金確定を拒否するボタンが押下されたり何も操作されないまま一定時間が経過したりすると（図８のＳ３３側方の“ＮＯ”参照）、入金された紙幣は搬送部２０によって搬送されて、紙幣払出口１２を介して利用者のもとに返却されて（図８のＳ３６参照）、処理が終了される。
【００５６】
次に、利用者によって入金確定のボタンが押下された場合について、以下、説明する。
【００５７】
利用者によって入金確定のボタンが押下されると、次に、制御部９０によって機内在高が確認されて（図８のＳ３４参照）、入金された紙幣の全てをカセット３１に収納することができるかが判断される。
【００５８】
ここで、制御部９０によって入金された紙幣の全てをカセット３１に収納することができると判断された場合には（図８のＳ３５側方の“ＹＥＳ”参照）、入金一時保留部３０の紙幣は識別部１５を介して金種毎に振り分けられてバラ紙幣がそれぞれのカセット３１ａ−３１ｃに収納される（図８のＳ４８参照）。他方、制御部９０によって入金された紙幣の全てをカセット３１に収納することができないと判断された場合には（図８のＳ３５下方の“ＮＯ”参照）、次の処理が行われる。
【００５９】
すなわち、まず、温度検出部６７によって、ヒーター６６が所定温度に達しているか否かが検出される（図８のＳ４１参照）。そして、ヒーター６６が所定温度に達していない場合には（図８のＳ４１下方の“ＮＯ”参照）、比較部９１によって、ヒーター６６が所定温度に達するまでにかかる加熱予想時間と、集積処理が完了するまでにかかる集積予想時間とが算出され（図８のＳ４２参照）、比較される（図８のＳ４３参照）。
【００６０】
次に、比較部９１によって加熱予想時間の方が集積予想時間よりも長いと判断されると（図８のＳ４３下方の“ＮＯ”参照）、制御部９０によって、集積処理に加えて「結束処理以外のその他の処理」（バラ紙幣をカセット３１に収納するバラ収納処理）も行うことが決定される（図８のＳ４５の（１）参照）。他方、比較部９１によって加熱予想時間の方が集積予想時間よりも長くならないと判断されると（図８のＳ４３側方の“ＹＥＳ”参照）、制御部９０によって、集積処理を行うことが決定される（図８のＳ４７参照）。
【００６１】
以下、制御部９０によって、集積処理に加えて「結束処理以外のその他の処理」（バラ紙幣を収納するバラ収納処理）も行うことが決定された場合について、まず説明する。
【００６２】
制御部９０によって、集積処理に加えて「結束処理以外のその他の処理」も行うことが決定されると、集積処理とバラ収納処理の両方が行われる（図８のＳ４５の（１）参照）。この際には、集積処理を先に行ってバラ収納処理を後に行ってもよいし、逆に、バラ収納処理を先に行って集積処理を後に行ってもよい。なお、集積処理を先に行ってバラ収納処理を後に行う態様においては、温度検出部６７によってヒーター６６が所定温度に達していることが検出されると、例えばバラ収納処理の途中であっても、集積紙幣を結束材で結束してもよい。
【００６３】
そして、集積処理が行われ、かつ、温度検出部６７によってヒーター６６が所定温度に達していることが検出されると（図８のＳ４９参照）、圧着部６８によって結束材を用いて集積紙幣が結束される。
【００６４】
その後、束紙幣が、例えば束出金口８２内に収納されて入金される（図８のＳ５０参照）。なお、束紙幣の収納とバラ収納処理の両方が終了することで、処理が終了される。
【００６５】
ところで、集積処理とバラ収納処理の両方が行われた後で未だヒーター６６が所定温度に達していない場合には、「結束処理以外のその他の処理」として、バラ紙幣の出金処理などの次の取り引きが行われてもよい（図８のＳ４５の（２）参照）。
【００６６】
他方、上記とは異なり、制御部９０によって入金された紙幣の全てをカセット３１に入金することができないと判断された段階で、ヒーター６６が所定温度に達している場合には（図８のＳ４１側方の“ＹＥＳ”参照）、続いて、集積処理（図８のＳ４７参照）、結束収納処理（図８のＳ５０参照）およびバラ収納処理（図８のＳ４８参照）が順に行われる。
【００６７】
また、比較部９１によって加熱予想時間の方が集積予想時間よりも長くならないと判断されて（図８のＳ４３側方の“ＹＥＳ”参照）、制御部９０によって、集積処理を行うことが決定された場合にも、続いて、集積処理（図８のＳ４７参照）、結束収納処理（図８のＳ５０参照）およびバラ収納処理（図８のＳ４８参照）が順に行われる。
【００６８】
上述のように、集積予想時間よりも加熱予想時間の方が長いときに、集積処理と「結束処理以外のその他の処理」（バラ収納処理）を行うことができる。このため、入金時においても、ヒーター６６が温まるまでの空き時間をなくすことができ、全体の処理時間を短縮することができる。
【００６９】
また、集積処理を先に行ってバラ収納処理を後に行う態様においては、温度検出部６７によってヒーター６６が所定温度に達していることが検出されると、例えばバラ収納処理の途中であっても、集積紙幣を結束材で結束することができる。このため、バラ収納と結束収納を同時並行で行うことができ、全体の処理時間をさらに短縮することができる。
【００７０】
さらに、集積処理とバラ収納処理の両方が行われた後で未だヒーター６６が所定温度に達していない場合には、「結束処理以外のその他の処理」としてバラ紙幣の出金処理なども行うことができる。このため、ヒーター６６が温まるまでの空き時間をさらに効率よくなくすことができる。
【００７１】
ところで、上記では、集積予想時間と加熱予想時間を算出するとともに、これらを比較する態様を用いて説明したが、これに限られることはない。例えば、制御部９０によって入金された紙幣の全てをカセット３１に入金することができないと判断された段階で（図８のＳ３５下方の“ＮＯ”参照）、集積予想時間と加熱予想時間を算出することや集積予想時間と加熱予想時間とを比較することなく、直ちに、バラ収納と集積処理（図８のＳ４５参照）を開始してもよい。この場合、バラ・結束出金と同様、集積処理後はヒーター６６が所定温度に達するまでの間、バラ収納処理を行い、所定温度に達した時点で結束処理を行うようにしても構わない。
【００７２】
［変形例］
上述したように図１に示すような紙幣処理装置１ａを用いる代わりに、図９（ａ）（ｂ）−図１１（ａ）（ｂ）に示すような紙幣処理装置１ｂを用いてもよい。
【００７３】
以下、図９（ａ）（ｂ）−図１１（ａ）（ｂ）に示した紙幣処理装置１ｂの構成について説明する。なお、紙幣処理装置１ａと同様の機能を果たす部分には、紙幣処理装置１ａと同じ符号を付して詳細な説明は省略する。
【００７４】
紙幣処理装置１ｂは、紙幣処理装置１ａと同様、識別部を有しているが、この識別部は、入金時に識別を行う入金識別部１５ａと、出金時に識別を行う出金識別部１５ｂとを有している。
【００７５】
また、図１に示す紙幣処理装置１ａでは、紙幣投入口１２が紙幣を払い出すための紙幣払出口も兼ねていたが、図９（ａ）（ｂ）−図１１（ａ）（ｂ）に示す紙幣処理装置１ｂでは、紙幣投入口１２ａと紙幣払出口１２ｂは別体を構成している。
【００７６】
また、紙幣処理装置１ｂは、符号３１ｄで示されたカセット３１も有しており、このカセット３１ｄには２，０００円紙幣が収納される。また、各カセット３１ａ−３１ｄの上部には、入金された紙幣を金種別で一時保留するための入金一時保留部３０ａ−３０ｄが設けられている。また、一括して紙幣を集積するカセット３５の上部にも紙幣を一時保留するための一括一時保留部３６が設けられている。
【００７７】
また、紙幣処理装置１ｂは、束紙幣を集積するための束集積部１１６と、束紙幣を金種別に収納するための束収納カセット１３１（束収納カセット１３１ａ−１３１ｅ）と、搬送部２０で搬送される束紙幣の金種などを識別する束判別部１１５と、を備えている。
【００７８】
また、紙幣処理装置１ｂは、少量の束紙幣を出金するための束出金口８２ａと、大量の束紙幣を出金するための束機外投出口８２ｂも、備えている。
【００７９】
このような紙幣処理装置１ｂによれば、以下に示すような処理を行うことができる。
【００８０】
バラ・結束入金処理
以下、図９（ａ）（ｂ）を用いて、バラ紙幣と束紙幣が入金される際の態様について説明する。
【００８１】
まず、紙幣投入口１２ａに投入された紙幣は、入金識別部１５ａを通って、整理一時保留部７１へ搬送される。
【００８２】
そして、整理一時保留部７１に所定枚数（例えば１００枚）の紙幣が集積された時に、ヒーター６６の温度が所定温度以下の場合には、「結束処理以外のその他の処理」として、バラ紙幣の入金処理が行われる。具体的には、紙幣投入口１２ａに投入された紙幣が、各カセット３１ａ−３１ｄに設けられた入金一時保留部３０ａ−３０ｄまで搬送され、入金が確定されると各カセット３１ａ−３１ｄに収納される。
【００８３】
そして、ヒーター６６が所定温度に達すると、整理一時保留部７１に集積された紙幣が搬送アーム７６によって搬送され、帯封部６５で結束される。その後、結束された束紙幣は、一旦、束集積部１１６に集積され、束識別部１１５で金種識別されて、それぞれの束収納カセット１３１ａ−１３１ｄまで搬送され、収納される。なお、結束して束紙幣を束収納カセット１３１に収納する結束入金処理は、バラ紙幣の入金が完了されることを待たずに、ヒーター６６が所定温度に達した時点で開始されてもよい。
【００８４】
バラ・結束出金処理
以下、図１０（ａ）（ｂ）を用いて、バラ紙幣と束紙幣が出金される際の態様について説明する。
【００８５】
まず、カセット３１から紙幣が繰り出され、当該紙幣は出金識別部１５ｂを通って整理一時保留部７１まで搬送される。
【００８６】
そして、整理一時保留部７１に所定枚数（例えば１００枚）の紙幣が集積された時に、ヒーター６６の温度が所定温度以下の場合には、「結束処理以外のその他の処理」として、バラ紙幣の出金処理が行われる。具体的には、カセット３１から出金額分の紙幣が繰り出され、出金識別部１５ｂを通って、紙幣払出口１２ｂまで搬送される。
【００８７】
そして、ヒーター６６が所定温度に達すると、整理一時保留部７１に集積された紙幣が搬送アーム７６によって搬送され、帯封部６５で結束される。その後、結束された束紙幣は束出金口８２ａまで搬送され、出金される。なお、結束して束紙幣を束出金口８２ａから出金する結束出金処理は、バラ紙幣の出金が完了されることを待たずに、ヒーター６６が所定温度に達した時点で開始されてもよい。
【００８８】
バラ入出金・結束出金処理
以下、図１１（ａ）（ｂ）を用いて、バラ紙幣の入出金と束紙幣の出金が行われる際の態様について説明する。
【００８９】
まず、カセット３１から紙幣が繰り出され、当該紙幣は出金識別部１５ｂを通って整理一時保留部７１まで搬送される。
【００９０】
そして、整理一時保留部７１に所定枚数（例えば１００枚）の紙幣が集積された時に、ヒーター６６の温度が所定温度以下の場合には、「結束処理以外のその他の処理」として、バラ紙幣の出金処理が行われる。具体的には、カセット３１から出金額分の紙幣が繰り出され、出金識別部１５ｂを通って、紙幣払出口１２ｂまで搬送される。
【００９１】
バラ紙幣の出金処理が終了した時点でヒーター６６が所定温度以下の場合には、「結束処理以外のその他の処理」として、次の取り引きで入金処理がある場合に限り、バラ紙幣の入金処理が行われる。具体的には、紙幣投入口１２ａに投入された紙幣が、各カセット３１ａ−３１ｄに設けられた入金一時保留部３０ａ−３０ｄまで搬送され、入金が確定されると各カセット３１ａ−３１ｄに収納される。
【００９２】
そして、ヒーター６６が所定温度に達すると、整理一時保留部７１に集積された紙幣が結束される。その後、結束された束紙幣は束出金口８２ａまで搬送され、出金される。
【００９３】
このように、紙幣処理装置１ｂでは、入金する紙幣を搬送する経路と出金する紙幣の経路とが完全に独立している。このため、バラ紙幣の入金処理と出金処理とを同時に行うことができ、有益である。
【００９４】
なお、上述した変形例においては、図７のフローに基づく実施の形態と同様の態様を用いて説明したが、これに限られることはなく、図６または図８に示されたフローと同様、加熱予想時間と集積予想時間とを比較した結果に基づいた処理を行っても構わない。
【００９５】
第２の実施の形態
次に、図１２により、本発明の第２の実施の形態について説明する。
【００９６】
第１の実施の形態（変形例を含む）では、温度検出部６７によって加熱部が所定温度に達していないことが検出されると、集積処理と少なくとも一つの「結束処理以外のその他の処理」が必ず行われていた。これに対して、第２の実施の形態では、比較部９１によって加熱予想時間の方が集積予想時間よりも長いと判断された場合に、集積処理または「結束処理以外のその他の処理」（本実施の形態では、バラ紙幣を出金するバラ出金処理）を開始し、温度検出部６７によってヒーター６６が所定温度に達し、かつ、集積処理が完了していることを条件として結束処理を開始させるものである。
【００９７】
その他の構成は図１乃至図１１（ａ）（ｂ）に示す第１の実施の形態（変形例を含む）と略同一である。図１２に示す第２の実施の形態において、図１乃至図１１（ａ）（ｂ）に示す第１の実施の形態と同一部分には同一符号を付して詳細な説明は省略する。
【００９８】
バラ・結束出金
バラ・結束出金とバラ・結束入金のいずれでも第１の実施の形態と同様、類似した効果を奏することができるので、本実施の形態では、バラ紙幣と束紙幣を出金する処理を行う場合を例にとって説明する。
【００９９】
まず、上位端末９５を介して、利用者によって、バラ紙幣と束紙幣を出金する処理を行うことが選択される。このように、バラ紙幣と束紙幣を出金する処理を行うことが選択されると、温度検出部６７によって、ヒーター６６が所定温度に達しているか否かが検出される（図１２のＳ１１参照）。なお、以降において、ヒーター６６の温度は温度検出部６７によって検出され続ける。
【０１００】
ここで、ヒーター６６が所定温度に達していない場合には（図１２のＳ１１下方の“ＮＯ”参照）、比較部９１によって、ヒーター６６が所定温度に達するまでにかかる加熱予想時間と、集積処理が完了するまでにかかる集積予想時間とが算出され（図１２のＳ１２参照）、比較される（図１２のＳ１３参照）。
【０１０１】
そして、比較部９１によって加熱予想時間の方が集積予想時間よりも長いと判断されると（図１２のＳ１３下方の“ＮＯ”参照）、制御部９０によって、集積処理または「結束処理以外のその他の処理」（本実施の形態では、バラ紙幣を出金するバラ出金処理）を行うことが決定される。なお、本実施の形態では、まず集積処理（図１２のＳ１７参照）を行い、その後で、バラ出金処理（図１２のＳ１８’、Ｓ１８参照）を行う態様を用いて以下説明するが、これに限られることはなく、まずバラ出金処理を行い、その後で、集積処理を行う態様であってもよい。
【０１０２】
他方、比較部９１によって加熱予想時間の方が集積予想時間よりも長くならないと判断されると（図１２のＳ１３側方の“ＹＥＳ”参照）、制御部９０によって、集積処理（図１２のＳ１７参照）を行うことが決定される。
【０１０３】
以下、制御部９０によって、集積処理または「結束処理以外のその他の処理」を行うことが決定された場合について、まず説明する。
【０１０４】
制御部９０によって、集積処理または「結束処理以外のその他の処理」を行うことが決定されると、本実施の形態では、まず集積処理（図１２のＳ１７参照）が行われる。
【０１０５】
そして、集積処理が完了した時点で、予想に反して温度検出部６７によってヒーター６６が所定温度に達していることが検知された場合には（図１２のＳ１６’下方の“ＹＥＳ”参照）、圧着部６８によって結束材を用いて集積紙幣が結束されて、結束された束紙幣が束出金口８２から出金（結束出金）される（図１２のＳ２０参照）。
【０１０６】
そして、その後、バラ出金処理が行われて（図１２のＳ１８参照）、処理が終了される。
【０１０７】
他方、集積処理が完了した時点で、予想通り温度検出部６７によってヒーター６６が所定温度に達していることが検知されない場合には（図１２のＳ１６’側方の“ＮＯ”参照）、次に、バラ出金処理が開始される（図１２のＳ１８’参照）。そして、温度検出部６７によってヒーター６６が所定温度に達していることが検出された時点で（図１２のＳ１６参照）、圧着部６８によって結束材を用いて集積紙幣が結束される。
【０１０８】
その後（または、バラ紙幣の出金が行われているときに）、束紙幣が束出金口８２から出金（結束出金）される（図１２のＳ２０参照）。
【０１０９】
ところで、上記では、集積処理とバラ出金処理のみが行われる態様を用いて説明したが、これに限られることはなく、例えば紙幣投入口と紙幣払出口が別々に構成されている場合には（例えば図１０（ａ）（ｂ）に示した紙幣処理装置１ｂ参照）、集積処理とバラ出金処理の両方が行われた後で未だヒーター６６が所定温度に達していない場合には、バラ紙幣の入金処理などが行われてもよい。
【０１１０】
他方、上記とは異なり、利用者によって、バラ紙幣と束紙幣を出金する処理を行うことが選択された段階で、ヒーター６６が所定温度に達している場合には（図１２のＳ１１側方の“ＹＥＳ”参照）、続いて、集積処理（図１２のＳ１７参照）、結束出金処理（図１２のＳ２０参照）およびバラ出金処理（図１２のＳ１８参照）が順に行われる。
【０１１１】
また、比較部９１によって加熱予想時間の方が集積予想時間よりも長くならないと判断されて（図１２のＳ１３側方の“ＹＥＳ”参照）、制御部９０によって、集積処理を行うことが決定された場合にも、続いて、集積処理（図１２のＳ１７参照）、結束出金処理（図１２のＳ２０参照）およびバラ出金処理（図１２のＳ１８参照）が順に行われる。
【０１１２】
上述のように本実施の形態では、予め予想していた加熱予想時間よりも早い段階で温度検出部６７によってヒーター６６が所定温度に達したことが検出された場合には（図１２のＳ１６’下方の“ＹＥＳ”参照）、制御部９０は、当該加熱予想時間に制限されずに、結束処理を開始させる。
【０１１３】
また、逆に、ヒーター６６の加熱に予想以上の時間がかかった場合には、温度検出部６７によってヒーター６６が所定温度に達したことが検出されるまでの間は、制御部９０は、加熱予想時間に制限されずに、集積処理およびバラ出金処理を行わせる。
【０１１４】
また、本実施の形態によれば、集積予想時間よりも加熱予想時間の方が長いときにのみ、集積処理とバラ出金処理を結束処理に先立って行うことを予定する。このため、実際の処理の状態に応じて、結束出金処理より先にバラ出金処理（結束処理以外のその他の処理）を行うことを予定するかどうか判断することができる。この結果、ヒーター６６が温まるまでの空き時間をなくすことができ、全体の処理時間を短縮することができる。
【０１１５】
また、本実施の形態では、予想していた加熱予想時間よりも早い段階で、温度検出部６７によってヒーター６６が所定温度に達したことが検出された場合には、加熱予想時間に制限されずに結束処理が開始され、逆に、ヒーター６６の加熱に予想以上の時間がかかった場合には、温度検出部６７によってヒーター６６が所定温度に達したことが検出されるまでの間は、加熱予想時間に制限されずに、集積処理とバラ出金処理が行われる。このため、加熱予想時間にとらわれることなく、臨機応変に処理を行うことができ、無駄な待ち時間を無くして、全体の処理時間を効率よく短縮することができる。
【０１１６】
また、本実施の形態では集積処理を先に行ってバラ出金処理を後に行うので、温度検出部６７によってヒーター６６が所定温度に達していることが検出されると、例えばバラ出金処理の途中であっても、集積紙幣を結束材で結束することができる。このため、バラ出金処理と結束出金処理を同時並行で行うことができ、全体の処理時間をさらに短縮することができる。
【符号の説明】
【０１１７】
１ａ，１ｂ  紙幣処理装置
１２        紙幣投入口
１５        識別部
２０        搬送部
３０        入金一時保留部
３１        カセット（集積部）
５０        バラ紙幣処理部
６０        束紙幣処理部
６５        帯封部（結束部）
６６        ヒーター（加熱部）
６７        温度検出部
６８        圧着部
７１        整理一時保留部（集積部）
７６        搬送アーム
８２        束出金口
９０        制御部
９１        比較部
【図１】
2011195177.tif 000003
【図２】
2011195177.tif 000004
【図３】
2011195177.tif 000005
【図４】
2011195177.tif 000006
【図５】
2011195177.tif 000007
【図６】
2011195177.tif 000008
【図７】
2011195177.tif 000009
【図８】
2011195177.tif 000010
【図９】
2011195177.tif 000011
【図１０】
2011195177.tif 000012
【図１１】
2011195177.tif 000013
【図１２】
2011195177.tif 000014